(57)【特許請求の範囲】
【請求項１】
内部容器に連通された液通路の上端部に弁装置を設け、その弁装置の出側と吐出口との間に、該吐出口に向かって高くなるように傾斜した吐出通路を設けてなるポットの吐出部において、上記吐出通路底面部の幅方向の断面形状をＶ字形に形成したことを特徴とするポットの吐出部。
【請求項２】
上記Ｖ字形底面部の谷底に長さ方向のリブを設けたことを特徴とする請求項１に記載のポットの吐出部。
【請求項３】
上記Ｖ字形底面部の谷底に長さ方向の溝を設けたことを特徴とする請求項１に記載のポットの吐出部。
【発明の詳細な説明】
【０００１】
【発明の属する技術分野】
この発明は、電気ポット等の各種ポットの吐出部に関し、特に吐出流れの整流手段に関する。
【０００２】
【従来の技術】
電気ポットにおいては、その吐出口から外部に吐出される湯の流れが周囲に飛び散ることが無いように、吐出口の内面に流れの方向のリブや溝による案内部を設け、吐出流を整流することが従来から行われている（特開平１０−１４６２８４号公報参照）。
【０００３】
しかし、近年実用化されている電気ポットのように、吐出口が短く、しかも真下を向いたものでは、吐出口において整流することは困難であるので、前述のような整流手段は採用されていない（特開平１１−１６９２９０号公報参照）。この場合は、傾斜時湯漏れ防止弁、転倒時湯漏れ防止弁等の弁装置と吐出口との間の吐出通路の断面形状を扁平な四角形に形成し、主としてその底面と両側面とにより整流作用を発揮させている。上記の吐出通路の底面は、液切れをよくするために、吐出口側が高くなる傾斜が付けられる。
【０００４】
【発明が解決しようとする課題】
しかしながら、上記のような電気ポットにおいて、例えば、吐出口から吐出される湯を、カップ上に載せた簡易なコーヒードリッパーに注いでコーヒーをドリップする場合などにおいては、少量の湯を連続的に、しかもポンプによる加圧力を抑制して吐出させる必要がある。このような場合、少量の湯が前記吐出通路の底面に広がって流れるため整流作用が働かず、吐出口から出た湯が飛び散ってコーヒードリッパーの開口の外へ落下する不具合がある。
【０００５】
そこで、この発明は、上記のように吐出口が真下を向くように設けられた場合において、少量の湯であっても飛び散りの少ない構造をもった吐出部を提供することを課題とする。
【０００６】
【課題を解決するための手段】
上記の課題を解決するために、この発明は、内部容器に連通された液通路の上端部に弁装置を設け、その弁装置の出側と吐出口との間に、該吐出口に向かって高くなるように傾斜した吐出通路を設けてなるポットの吐出部において、上記吐出通路底面部の幅方向の断面形状をＶ字形に形成した構成を採用した。
【０００７】
この構成によると、通常の湯量で吐出される際は、従来どおり、吐出通路の底面と両側面の協働作用により整流が行われる。また、少量の場合は、Ｖ字形の溝底に集中して流れるので整流が行われ、少量であっても飛び散りが発生しない。
【０００８】
なお、上記Ｖ字形の底面の谷底部に長さ方向のリブを設けたり、その谷底部に長さ方向の溝を設けたりする構成を採用することもできる。
【０００９】
【発明の実施の形態】
以下、この発明の実施形態を添付図面に基づいて説明する。図１に示した実施形態の電気ポットは、ポット本体１の内部に内容器２を収納し、その内容器２の底面に連通された液通路３がポット本体１の上部前面に突き出したくちばし部4に延び、そのくちばし部４内部に設けられた弁セット５の弁装置６の入口７に接続される。弁装置６の出口は弁セット５内の吐出通路８に連通され、その吐出通路８の先端部に下向きの吐出口９が設けられる。吐出口９の下端は、くちばし部４の吐出穴１１の上部に臨んでいる。
【００１０】
図２は、上記の弁セット５を示している。この弁セット５は、下部材１２、中部材１３および上部材１４を上下に組み合わせて構成され、その内部に前記の弁装置６が設けられる。弁装置６は前記の入口７に通じた弁室１５に転倒時の湯漏れを防止する弁体１６が収納され、その弁体１６は所要の間隔をおいて上部に設けられた弁孔１７に対向する。また、上記弁孔１７と吐出通路８との間に逆止弁１８が設けられる。この逆止弁１８は、吐出通路８側から戻る湯を通過させて、図示省略の還流通路から入口７を経て液通路３に戻す作用をなす。また、上記弁孔１７と逆止弁１８との間に、傾斜時湯漏れ防止弁が設けられる場合もある。
【００１１】
上記の吐出通路８は、中部材１３に設けられた上向きコの字形の溝、即ち、底面部１９と、その底面部１９の両端から立ち上がった両側面部２１、２１とにより溝が構成される。また、上部材１４により天面部２２が構成され、その天面部２２が前記の溝上に嵌合される。上記の底面部１９はポット本体１が水平に置かれた状態で吐出口９側が高くなるように傾斜が付けられる。
【００１２】
また、上記底面部１９は、その中央部が谷部２３になるように、幅方向の断面形状がＶ字形に形成される。谷部２３から両側面部２１に至る底面部１９の傾斜角θは１０°〜３０°の範囲で適宜決定される。また、その谷部２３の先端は、図４に示すように、吐出口９に接近する。
【００１３】
上記の底面部１９の谷部２３に、図５（ａ）に示すように、リブ２４を設ける場合がある。また、同図（ｂ）に示すように、溝２５を設ける場合もある。
【００１４】
実施形態の電気ポットは以上のようなものであり、通常通り湯沸かしを行ったのち、ポンプを作動させると、内容器２内の湯が液通路３を経て弁セット５に流入し、吐出口９から外部に吐出される。
【００１５】
通常の吐出量の場合は、吐出通路８においては、湯は底面部１９と両側面部２１、２１により、また、場合によっては天面部２２により規制され、整流作用を受けて、吐出口９から落下する。
【００１６】
また、前述のような簡易なコーヒードリッパーに注ぐ場合のように、ポンプの圧力を低減して吐出量が絞られる。吐出量が少なくなることにより、流れが両側面部２１、２１に接触し難くなるような場合は、湯は底面部１９の谷部２３とその近辺に集中して流れることにより整流される。その整流を受けた状態で吐出口９から落下するので、飛び散りが防止される
また、図５（ａ）のように、リブ２４が設けられている場合は、そのリブ２４に沿って流れ、同図（ｂ）のように、溝２５が設けられている場合は、その溝２５に集中して流れる。このため、いずれの場合も整流が行われる。
【００１７】
【発明の効果】
以上のように、この発明は、吐出口に至る直前の吐出通路の底面部をＶ字形に形成したことにより、湯の吐出量が少ない場合でも、湯の流れを底面部中央部に集中させることにより整流することができる。このため、吐出口から落下する湯が飛び散ることが避けられ、安全に湯を注ぐことができる。
【図面の簡単な説明】
【図１】実施形態の概略図
【図２】同上の弁セット部分の断面図
【図３】図２のＡ―Ａ線の拡大断面図
【図４】同上の吐出口部分の斜視図
【図５】（ａ）吐出通路部分の他の例の断面図
（ｂ）吐出通路部分の他の例の断面図
【符号の説明】
１  ポット本体
２  内容器
３  液通路
４  くちばし部
５  弁セット
６  弁装置
７  入口
８  吐出通路
９  吐出口
１１  吐出穴
１２  下部材
１３  中部材
１４  上部材
１５  弁室
１６  弁体
１７  弁孔
１８  逆止弁
１９  底面部
２１  側面部
２２  天面部
２３  谷部
２４  リブ
２５  溝
【図１】
0003725496.tif 000002
【図２】
0003725496.tif 000003
【図３】
0003725496.tif 000004
【図４】
0003725496.tif 000005
【図５】
0003725496.tif 000006